(57)【要約】      （修正有）【課題】合成桁橋床版撤去時の吊足場のチェーン周りを可撓性樹脂で充填しウォータージェットなど吊足場上で水を使う工法において、使用水が吊足場の下に落下しないように、漏水を防止する吊足場の防水構造を提供する。【解決手段】吊足場の防水構造は、吊足場を吊り下げるチェーンを伝って吊足場の下に水が落下するのを防止する吊足場の防水構造であって、各々のチェーンの吊り下げ方向に沿って所定の長さのチェーンを取り囲む中空管と、チェーンが挿通するようにチェーンを挟んで、又はチェーン取り付け部を挟んで並置して設けられ中空管の底部を支持する支持板と、チェーンの周り及びチェーンと支持板との間、又はチェーン取り付け部の周り及びチェーン取り付け部と支持板との間の空隙を塞ぐように設けられる目張り材と、中空管の内壁に塗布されたプライマーと、プライマーが塗布された中空管の内部に充填された可撓性樹脂と、を有する吊足場の防水構造。【選択図】図３
2019120056.tif 000002
【特許請求の範囲】
【請求項１】
吊足場を吊り下げるチェーンを伝って吊足場の下に水が落下するのを防止する吊足場の防水構造であって、
各々のチェーンの吊り下げ方向に沿って所定の長さのチェーンを取り囲む中空管と、
チェーンが挿通するようにチェーンを挟んで並置して設けられるか、または吊足場の床板に予め設置されチェーンの下端部を取り付けるチェーン取り付け部を挟んで並置して設けられ、中空管の底部を支持する支持板と、
チェーンの周り及びチェーンと支持板との間の空隙、またはチェーン取り付け部の周り及びチェーン取り付け部と支持板との間の空隙を塞ぐように設けられる目張り材と、
中空管の内壁に塗布されたプライマーと、
プライマーが塗布された中空管の内部に充填された可撓性樹脂と、を有することを特徴とする吊足場の防水構造。
【請求項２】
前記プライマーは変性シリコーン樹脂であり、前記可撓性樹脂はシリコーン樹脂であることを特徴とする請求項１に記載の吊足場の防水構造。
【請求項３】
前記支持板から貫通して露出するチェーン近傍及び支持板の裏面又は支持板と支持板上に設置された防水層との間、またはチェーン取り付け部近傍及び支持板の裏面又は支持板と支持板上に設置された防水層との間に設けられた漏水検知センサをさらに有することを特徴とする請求項１に記載の吊足場の防水構造。
【発明の詳細な説明】
【技術分野】
【０００１】
本発明は、吊足場の防水構造に関し、特に合成桁橋床版撤去時の吊足場のチェーン周りを可撓性樹脂で充填しウォータージェットなど吊足場上で水を使う工法において、使用水が吊足場の下に落下しないように、漏水を防止する吊足場の防水構造に関する。
【背景技術】
【０００２】
高架橋を多用して展開された高速道路を始めとして、日本中に道路用の高架橋が使用されている。その多くが長い使用年月を経て老朽化が進み、補修や交換が必要となってきている。
橋を交換する場合、既存の橋で交通量を確保しつつ既存の橋に隣接して新たな橋を建設し、完成した段階で切り替える方法も行われるが、高速道路のように長距離に渡って連続する高架橋の道路ではこのような方法は現実的ではない。そこで既存の橋桁は残したままで、床版を交換する方法が採用されている。
【０００３】
しかし、床版は大型の重量構造物であり、撤去するのは容易ではなく、通常は搬送可能な大きさに切断して撤去する方法が行われる。また建設の際に橋桁と床版が一体化するように固定される合成桁橋の場合は、橋桁に強固に固定されており、橋桁との固定部を切断して除去するのも手間がかかる作業となっている。
【０００４】
こうした合成桁橋では、従来橋桁直上の部分を除く床版をブロック状に切断して除去し、残った橋桁直上の部分は、機械的にはつりを行ってコンクリートを除去する方法が行われ、切断する床版のサイズに制約があること、少なくとも橋桁に沿って橋桁の両側を切断する必要があるために床版の撤去に必要な切断距離が長いこと、はつりによる騒音が発生することなど様々な課題があった。
【０００５】
これに対し、床版と橋桁との固定部を橋桁の再利用を考慮して効率よく切り離す技術も提案されている。
特許文献１には、床版の上面から、鋼製の主桁の長さ方向に沿って高圧ウォータージェットによりコンクリートのみを除去して鋼桁の幅よりも狭い幅の切削帯域を形成し、切削帯域に鋼桁上面のジベルおよびコンクリート床版に埋設された鉄筋の一部を露出させて鋼桁とコンクリート床版との縁切りを行い、コンクリート床版を所要大きさのブロック片に切断し上方に引き剥がして撤去する橋梁床版の撤去方法が記載されている。
【０００６】
この撤去方法によれば、橋桁との固定部はウォータージェットによりコンクリートが除去されることで容易に分離できるようになるため、橋桁に沿って橋桁の両側を切断する必要がなくなり、撤去作業の効率向上が期待される。
ウォータージェットによるコンクリート除去の課題として排水処理がある。高架橋の下は様々な形で使用されていることが多く、排水を下に落下させることは回避しなければならない。このためウォータージェットに使用する水は、止水板などを使って落下を防止しつつ、ポンプを使って回収する対策が取られる。ところで高架橋の工事には足場をチェーンで吊るした吊足場が多く用いられる。チェーンは橋桁等に取り付けられるため、排水がチェーンを伝って足場から下に落下することが起こり得る。チェーンは断面形状が単純ではなく、又連携部が固定されていないため止水板などを取り付けにくく、有効な漏水対策ができない状況にある。
【０００７】
以上ニーズが拡大しつつあるウォータージェットに関して記載したが、吊足場で求められる水を使用する作業としては、ウォータージェット以外にも、例えば、塗料をはぐための湿式のサンドブラストや、湿式ワイヤーソーやロードカッターなどもあるが、いずれも漏水の防止という点ではウォータージェットと同様の課題を抱えている。
そこで、チェーンを使った吊足場でもチェーンからの水の落下を防ぐ防水構造が求められる。
【先行技術文献】
【特許文献】
【０００８】
【特許文献１】特開２０１２−２０７３８８号公報
【発明の概要】
【発明が解決しようとする課題】
【０００９】
本発明は、上記従来の吊足場の防水構造における問題点に鑑みてなされたものであって、本発明の目的は、合成桁橋床版撤去時の吊足場のチェーン周りを可撓性樹脂で充填し、ウォータージェットなど吊足場上で水を使う工法において、使用水が吊足場の下に落下しないように、漏水を防止する吊足場の防水構造を提供するところにある。
【課題を解決するための手段】
【００１０】
上記目的を達成するためになされた本発明による吊足場の防水構造は、吊足場を吊り下げるチェーンを伝って吊足場の下に水が落下するのを防止する吊足場の防水構造であって、各々のチェーンの吊り下げ方向に沿って所定の長さのチェーンを取り囲む中空管と、チェーンが挿通するようにチェーンを挟んで並置して設けられるか、または吊足場の床板に予め設置されチェーンの下端部を取り付けるチェーン取り付け部を挟んで並置して設けられ、中空管の底部を支持する支持板と、チェーンの周り及びチェーンと支持板との間の空隙、またはチェーン取り付け部の周り及びチェーン取り付け部と支持板との間の空隙を塞ぐように設けられる目張り材と、中空管の内壁に塗布されたプライマーと、プライマーが塗布された中空管の内部に充填された可撓性樹脂と、を有することを特徴とする。
【００１１】
前記プライマーは変性シリコーン樹脂であり、前記可撓性樹脂はシリコーン樹脂であることが好ましい。
前記支持板から貫通して露出するチェーン近傍及び支持板の裏面又は支持板と支持板上に設置された防水層との間、またはチェーン取り付け部近傍及び支持板の裏面又は支持板と支持板上に設置された防水層との間に設けられた漏水検知センサをさらに有することが好ましい。
【発明の効果】
【００１２】
本発明に係る吊足場の防水構造によれば、チェーン周りを中空管で囲った上で液状のシリコーン樹脂などの可撓性樹脂を中空間内に充填して硬化させるため、複雑なチェーン形状でもチェーン周りを隙間なく覆うことができ、チェーンを伝ってきた水を的確に止めることができる。
また本発明に係る吊足場の防水構造によれば、並置した支持板の間隙を貫通して露出するチェーン近傍及び支持板の裏面又は支持板と支持板上に設置された防水層との間、またはチェーン取り付け部近傍及び支持板の裏面又は支持板と支持板上に設置された防水層との間に漏水検知センサを備えるため、万一チェーンと可撓性樹脂との間に剥離が生じるなどして水が漏れ出しても、すぐに検知するため水を使用する作業を中断して防水構造の修復ができ的確に漏水を防ぐ防水構造が提供できる。
【図面の簡単な説明】
【００１３】
【図１】本発明の実施形態による吊足場の防水構造の設置方法を概略的に示す図である。
【図２】本発明の実施形態による吊足場の防水構造を概略的に示す図である。
【図３】本発明の実施形態による吊足場の防水構造の設置方法を説明するためのフローチャートである。
【図４】本発明の他の実施形態による吊足場の防水構造を概略的に示す図である。
【発明を実施するための形態】
【００１４】
次に、本発明に係る吊足場の防水構造を実施するための形態の具体例を、図面を参照しながら詳細に説明する。
図１は本発明の実施形態による吊足場の防水構造の設置方法を概略的に示す図であり、吊足場及び吊足場の防水構造の設置段階に合わせて（ａ）〜（ｄ）の４つの段階を示す。
図１（ａ）〜（ｄ）はいずれも橋梁の橋軸方向に直交する断面方向から見た図である。
【００１５】
本発明に係る吊足場の防水構造は、吊足場を吊り下げるチェーンを伝って吊足場の下に水が落下するのを防止するものであり、構造的に複雑な形状の空隙を持ち、又風や吊足場上の人の移動による吊足場の揺動などにより、繰り返し変形を受けやすいチェーンの周りを、柔軟な可撓性樹脂で覆うことで、効果的にチェーン周りからの漏水を防止する防水構造である。
【００１６】
図１（ａ）を参照すると、鋼製橋桁１０の上に床版２０が設置された橋梁に、吊足場を設置する初期段階として、チェーン４０と単管６０が設置される。実施形態では、チェーン４０は並行する２本の鋼製橋桁１０のそれぞれのフランジ部に、チェーン固定冶具３０を用いて取り付けられる。またチェーン４０は鋼製橋桁１０の橋軸方向に沿って所定の間隔で複数が設置される。チェーン４０が取り付けられた状態で、チェーン４０の周りの防水構造を形成するための中空管５０を、チェーン４０を挿通させた状態でチェーン４０の上部に仮固定する。
【００１７】
中空管５０は塩化ビニルなどの樹脂で構成され、最終的には各々のチェーン４０の吊り下げ方向に沿って所定の長さのチェーン４０を取り囲むように吊足場に固定され、防水の役割を果たす可撓性樹脂を所定量保持する役割を持つものであるが、吊足場を設置した後ではチェーン４０を挿通させることができないので、予めチェーン４０を挿通させた状態で仮固定しておく。仮固定は針金や紐などで括りつける程度でよい。
【００１８】
チェーン４０はリング状に取り付けられ、リング状の底部で支えるようにして橋軸に沿って単管６０が設置され、更に単管６０の上に単管６０に直交して単管６１が設置される。単管６０及び６１は吊足場の骨組みとなる部分であり、金属製の中空管で構成される。単管６０と単管６１は同一でもよいし、径や長さが異なってもよい。
【００１９】
図１（ｂ）を参照すると単管６１の上に、単管６１と直交し橋軸方向に沿うように足場板７０が設けられ、足場板７０の上にさらに支持板８０が設置される。チェーン４０は単管６０を支えるために、いずれもリング状の形状が橋軸方向を向くようになることから、図１に示すように足場板７０を設置した段階ではチェーン４０を挟んで大きな間隙が生ずる。そこで支持板８０は間隙を塞ぐように設置する。
【００２０】
実施形態では長方形の支持板８０を足場板７０に直交するように、また橋軸方向に隣接するチェーン４０の間を埋めるように敷き詰める。この結果リング状のチェーン４０は橋軸方向には隣接する２枚の支持板８０によって挟まれ、橋軸と直交する方向には隣接する２枚の足場板７０によって挟まれる形となる。即ち隣接する２枚の支持板８０と隣接する２枚の足場板７０によって囲まれる矩形の間隙をリング状のチェーン４０が貫通する形となる。
【００２１】
この矩形の間隙は図１（ｃ）のように次の工程で目張り材によって塞ぐが、支持板８０のチェーン４０に隣接する部分に予めチェーン４０が収まるだけの凹みを設けておくことで、チェーン４０を挟んで隣接する支持板８０はチェーン４０の無い部分では隙間なく設置することができる。
また図示していないが、支持板８０の下のチェーン４０の周りに漏水が発生した場合に備えて漏水検知センサを取り付けてもよい。
【００２２】
図１（ｃ）を参照すると、支持板８０の上のチェーン４０の周りの空隙を含め、支持板８０と足場板７０で囲まれる間隙を目張り材９０によって塞ぐ。目張り材９０は後からチェーン４０の周りに充填する可撓性樹脂が漏れないように保持するためのものであり、一実施形態では発泡ウレタンでチェーン４０の周りを塞いだ上からさらにガムテープを覆うように貼付けた２重構造としている。目張り材９０の材質や構成は可撓性樹脂が漏れなければ、これに限ることはない。
【００２３】
図１（ｄ）を参照すると、仮固定していた中空管５０を下ろして支持板８０の上に設置する。この時中空管５０の底部から可撓性樹脂が漏れないように、中空管５０の底部に接着剤を塗布するか、中空管５０の底部周囲をガムテープなどで目張りする。また吊足場全体の防水対策として支持板８０の上にアスファルトシートを敷き詰める場合は、支持板８０と中空管５０の底部との間にアスファルトシートを挟んでもよい。
【００２４】
次に中空管５０の内部の防水構造について図２を用いて説明する。
図２は、本発明の実施形態による吊足場の防水構造を概略的に示す図である。
図２（ａ）、（ｂ）は防水構造を形成する途中過程の状況を示し、図２（ｃ）は防水構造の最終形態を示す。
【００２５】
図２（ａ）を参照すると、図１（ｄ）で中空管５０を設置した後の状態を断面で示しており、支持板８０の下のチェーン４０の周りに漏水検知センサ１２０が設置されている。漏水検知センサには様々な形態があるが、実施形態では線状の漏水検知センサ１２０をチェーン４０の周りに巻き付けるように設置する。
【００２６】
図２（ｂ）は中空管５０の内周にプライマー１００を塗布した状態を示す。プライマー１００は中空管５０の内部に充填する可撓性樹脂の硬化収縮による隙間の発生を防止する役割を果たすものであり、実施形態では変性シリコーンを使用する。プライマー１００は中空管５０の内周全体に塗布してもよいし、図２（ｂ）に示すように、充填する可撓性樹脂の高さに合わせて塗布してもよい。
【００２７】
プライマー１００の塗布後、プライマー１００が硬化する前に、中空管５０の内部に可撓性樹脂１１０を流し込み、プライマー１００とともに硬化させることで図２（ｃ）に示す防水構造が完成する。可撓性樹脂１１０はチェーン４０の周りの複雑な空隙を埋めチェーン４０に柔軟に密着する材質を有していればよく、実施形態ではシリコーン樹脂を使用する。
【００２８】
可撓性樹脂１１０は硬化する過程で硬化収縮を生じやすい。このため中空管５０の内壁との界面で硬化に伴い剥離が生ずるおそれがある。しかしプライマー１００は、可撓性樹脂１１０より硬化時間が長いため、可撓性樹脂１１０の硬化収縮を補てんし、中空管５０の内壁との界面に剥離が生じないように後から硬化する。そこでプライマー１００と可撓性樹脂１１０との組み合わせにより中空管５０の中をチェーン４０の周りも含め隙間なく塞ぐことができる。
【００２９】
また、吊足場はチェーン４０で吊り下げた構造であるため、人の移動や風により揺動する。このためチェーン４０の周りを硬い樹脂で固めても、チェーン４０の揺動によりチェーン４０と樹脂との界面に剥離が生じやすく、繰り返しの揺動により剥離が進行して漏水につながることが起こり得る。しかし可撓性樹脂１１０はチェーン４０が揺動してもチェーン４０に追従して柔軟に変形するため界面の剥離を防ぐことができ、良好な防水構造を実現することができる。
【００３０】
また、図２（ｃ）に示すように支持板８０の下のチェーン４０の周りには漏水検知センサ１２０が設けられているので、万一漏水が発生してもすぐに検知され、この結果、中空管５０の中に新たに可撓性樹脂１１０を追加するなど、速やかに補修することができる。
【００３１】
図３は、本発明の実施形態による吊足場の防水構造の設置方法を説明するためのフローチャートである。
図３を参照すると、段階Ｓ３１０にて鋼製橋桁１０にチェーン４０を取り付ける。実施形態では、チェーン固定冶具３０を鋼製橋桁１０のフランジ部に、フランジ部を挟み込むように取り付け、チェーン固定冶具３０にリング状にしたチェーン４０をかけるようにして取り付けるが、取り付け方法はこれに限らない。
【００３２】
チェーン４０は、吊足場の骨組みの一部となる単管６０を保持するように単管６０の長さに対応して所定の間隔で橋軸方向に沿って複数設置する。また単管６０を並行して配置できるように、並行して設置された少なくとも２つの鋼製橋桁１０にチェーン４０を取り付ける。
【００３３】
複数のチェーン４０を取り付けた後、段階Ｓ３２０にて複数のチェーン４０の各々に中空管５０を仮固定してから、橋軸方向に隣接するチェーン４０の間を橋渡しするように単管６０を設置し、更に単管６０の上に単管６０と直交するように単管６１を設置する。単管６０はリング状のチェーン４０の中を挿通するように設置するが、単管６１は単管６０に対しクランプ冶具などを用いて固定する。また、中空管５０はチェーン４０を挿通させた形で針金や紐などで仮固定する。
【００３４】
組み上げた単管６０、６１の上に、足場板７０及び支持板８０を設置する（段階Ｓ３３０）。足場板７０は、吊足場上で作業する人や作業に使用する装置などを支持するために厚みと強度のある板などを使用し単管６１に直交するように、即ち橋軸方向に沿って単管６１の上に並べて設置する。
支持板８０は、並べて設置した足場板７０の間、特にチェーン４０を挟んで隣接する足場板７０の間の間隙を塞ぐように使用する板で、ベニア板などでもよい。
【００３５】
実施形態では足場板７０及び支持板８０を設置する段階又は支持板８０の設置後に支持板８０から下方に貫通するチェーン４０の近傍に漏水検知センサ１２０を設置する。漏水検知センサ１２０は線状の形態のものをチェーン４０に巻き付けるように取り付けることで、チェーン４０を伝ってくる漏水を感度良く検出することができる。漏水検知センサ１２０はさらに支持板８０の裏面に取り付けてもよい。また支持板８０の上にアスファルトシートなどの防水層を設ける場合は防水層と支持板８０との間に漏水検知センサ１２０を取り付けてもよい。
【００３６】
段階Ｓ３４０にてチェーン４０の周り及びチェーン４０と足場板７０、支持板８０との間の空隙を塞ぐように目張り材９０を設置する。目張り材９０は後から充填する可撓性樹脂が注入から硬化するまでの間漏れ出さなければ材質や形状はどのようなものであっても構わないが、発砲ウレタンを使用することでチェーン４０の周りの複雑な形状の空隙を容易に埋めることができる。目張り材９０は中空管５０の内径より小さくなるように設置する。
【００３７】
目張り材９０を設置後、段階Ｓ３５０で仮固定していた中空管５０を下に下ろし、支持板８０の上に設置する。中空管５０の底部と支持板８０の上面との隙間から可撓性樹脂が漏れ出さないように接着剤やガムテープなどで中空管５０の底部又はその周囲を目張りする。
【００３８】
段階Ｓ３６０で中空管５０の内壁にプライマー１００を塗布した後、段階Ｓ３７０で中空管５０内に可撓性樹脂１１０を充填して硬化させる。この時可撓性樹脂１１０が目張り材９０の上を完全に覆い、且つ目張り材９０の上でチェーン４０の周りの漏水を防止するのに有効な所定の厚さとなるように、中空管５０の高さ及び可撓性樹脂１１０の注入量を調節する。
【００３９】
可撓性樹脂１１０の硬化後は、可撓性樹脂１１０の特性によりチェーン４０との密着が保たれるため、チェーン４０を伝ってきた漏水を下に垂らさないように止めることができる。ウォータージェットなどの大量の処理水を使う場合でも、チェーン４０から流れ落ちてくる処理水は中空管５０内の可撓性樹脂１１０の上に溜まるか、中空管５０からあふれ出るが、中空管５０の周囲に通常行われる防水シートなどの吊足場の防水構造と排水手段により回収することができる。
【００４０】
中空管５０の周囲の防水構造としては様々な構成があり得るが、実施形態ではアスファルトシートを使用し、中空管５０の外形寸法でくり抜いたアスファルトシートを、中空管５０を挿通して中空管５０の周囲に設置するとともに、中空管５０の外周側壁も下辺側が短冊状に広がるように複数の切り込みを入れたアスファルトシートを巻き付け、中空管５０の周囲に設置したアスファルトシートと、短冊状に広がったアスファルトシートとが溶着するように熱を加え、中空管５０の周囲はアスファルトシートで完全に覆われるようにする。中空管５０の無い支持板上の平坦部もアスファルトシートで被うことにより中空管５０を含む防水構造を形成することができる。
【００４１】
このように従来の防水構造に従来工法では困難であった本発明によるチェーン周りの防水構造を組み合わせることで、効果的に漏水を防止する吊足場の防水構造を実現することができる。
【００４２】
以上吊足場の構造として、一般的に使用される単管吊足場を例に吊足場の防水構造を説明したが、吊足場は単管吊足場の他にも、床板パネルをチェーンで直接吊り下げて繋いで組み立てていくパネル式吊足場や、予め地上で組み立てたデッキ状の足場を複数のチェーンで吊り上げて設置するデッキ方式の吊足場も使用される。いずれの場合も足場をチェーンで吊り下げる方式に変わりはなく、チェーン周りの防水構造は従来共通の課題であった。本発明による吊足場の防水構造はこれらの吊足場にも適用可能である。
【００４３】
図４は本発明の他の実施形態による吊足場の防水構造を概略的に示す図であり、パネル式吊足場の場合のチェーン周りの防水構造を示す。
図４を参照すると、図２（ｃ）の防水構造の単管６０及び単管６１と足場板７０の代わりに床板パネル７５が使用されている。床板パネル７５は２本または４本のチェーン４０で吊り下げられ、床板パネル同士はジョイントで連結できるように構成される。床板パネル７５はチェーン４０を取り付ける部分に予めリング形状のチェーン取り付け部１３０が備えられており、吊り下げ用のチェーン４０は下端部をチェーン取り付け部１３０に取り付けるようにして床板パネル７５を吊り下げる。
【００４４】
パネル式吊足場の場合、支持板８０はチェーン取り付け部１３０を挟むように並置して敷き詰められる。この場合も支持板８０にはチェーン取り付け部１３０が収まるような凹部を形成することで、チェーン取り付け部１３０の周囲以外は隙間なく敷き詰めることができる。漏水検知センサ１２０を取り付ける場合は、チェーン取り付け部１３０の近傍及び支持板４０の裏面又は支持板４０と支持板４０上に設置された防水層との間に設置する。
目張り材９０はチェーン取り付け部１３０の周り及びチェーン取り付け部１３０と支持板８０との間の空隙を塞ぐように設置する。この時チェーン４０の下端部分の周囲も併せて目張り材９０で覆うようにしてもよい。
目張り材９０の設置後は図２の単管吊足場の場合と同様の方法で、中空管５０を設置し、中空管５０内に可撓性樹脂１１０を充填して硬化させる。
【００４５】
デッキ方式の吊足場も、チェーン４０の取り付け方法の違いにより、図２（ｃ）または図４の防水構造を応用して同じようにチェーン周りの防水構造を形成することができる。
【００４６】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００４７】
１０    鋼製橋桁
２０    床版
３０    チェーン固定冶具
４０    チェーン
５０    中空管
６０、６１    単管
７０    足場板
７５    床板パネル
８０    支持板
９０    目張り材
１００    プライマー
１１０    可撓性樹脂
１２０    漏水検知センサ
１３０    チェーン取り付け部
【図１】
2019120056.tif 000003
【図２】
2019120056.tif 000004
【図３】
2019120056.tif 000005
【図４】
2019120056.tif 000006